(57)【要約】【課題】受衝時の目開きを防止しつつ優れた衝撃吸収性能を発揮できる防護ネットを提供すること。【解決手段】本発明の防護ネットは、第一方向に沿って並列する複数の第一ロープと、第二方向に沿って並列し、複数の第一ロープと交差する複数の第二ロープと、を有するロープユニットと、複数の網目に第一ロープと第二ロープをそれぞれ連通しているガイドネットと、を備え、ロープユニットの交点において、ガイドネットが第一ロープと第二ロープを相互に摺動自在に保持していることを特徴とする。【選択図】図１
2019019489.tif 000002
【特許請求の範囲】
【請求項１】
第一方向に沿って並列する複数の第一ロープと、第二方向に沿って並列し、前記複数の第一ロープと交差する複数の第二ロープと、を有するロープユニットと、
複数の網目に前記第一ロープと前記第二ロープをそれぞれ連通しているガイドネットと、を備え、
前記ロープユニットの交点において、前記ガイドネットが前記第一ロープと前記第二ロープを相互に摺動自在に保持していることを特徴とする、
防護ネット。
【請求項２】
隣り合う前記第一ロープがそれぞれ前記ガイドネットの異なった網目に挿通しており、隣り合う前記第二ロープがそれぞれ前記ガイドネットの異なった網目に挿通していることを特徴とする、請求項１に記載の防護ネット。
【請求項３】
前記第一ロープまたは前記第二ロープが、アラミド繊維ロープ、ワイヤロープ、またはＰＣ鋼より線のいずれかであることを特徴とする、請求項１又は２に記載の防護ネット。
【請求項４】
前記ガイドネットが、ラッセル網、有結節網、または無結節網のいずれかであることを特徴とする、請求項１乃至３のいずれか一項に記載の防護ネット。
【発明の詳細な説明】
【技術分野】
【０００１】
本発明は防護ネットに関し、特に受衝時の目開きを防止しつつ優れた衝撃吸収性能を発揮できる防護ネットに関する。
【背景技術】
【０００２】
落石や台風飛来物の防護柵に係る防護ネットに関する従来技術として、例えば特許文献１〜３の技術が存在する。特許文献１および２には、ロープの編み目を割って、その中にこれと交差するロープを挿通して直接結合する、貫通型の無結節ネットが開示されている。また、特許文献３には、交差するロープの交点を挟持金具で固定したロープネットが開示されている。
【先行技術文献】
【特許文献】
【０００３】
【特許文献１】特開２００３−２６１９１０号公報
【特許文献２】特開２００５−３０７５７２号公報
【特許文献３】特開平１０−１９６７４０号公報
【発明の概要】
【発明が解決しようとする課題】
【０００４】
従来技術には、次のような課題がある。
＜１＞ロープの交点が固結されているため荷重が交点に集中しやすく破損しやすい。
＜２＞全ての交点を個別に加工するため製造に手間がかかり製造コストが高い。
＜３＞製造工程が複雑なため寸法精度が出にくい。
＜４＞一部が破損した場合でもネット全体を交換する必要があるため補修コストが高い。
＜５＞貫通型のネットは三つ打ちロープなどロープの打ち方に制限があり、樹脂等を被覆したロープを使用できないため、適用性が低い。
＜６＞貫通型のネットは交点でロープを割って接合しているためロープの強度が低い。
＜７＞金具固定ネットは受衝によって金具のずれや破損が生じるため受衝後継続して使用できない。
【課題を解決するための手段】
【０００５】
以上の課題を解決する、本発明の防護ネットは、第一方向に沿って並列する複数の第一ロープと、第二方向に沿って並列し、複数の第一ロープと交差する複数の第二ロープと、を有するロープユニットと、複数の網目に第一ロープと第二ロープをそれぞれ連通しているガイドネットと、を備え、ロープユニットの交点において、ガイドネットが第一ロープと第二ロープを相互に摺動自在に保持していることを特徴とする。
【０００６】
本発明の防護ネットは、隣り合う第一ロープがそれぞれガイドネットの異なった網目に挿通しており、隣り合う第二ロープがそれぞれガイドネットの異なった網目に挿通していてもよい。
【０００７】
本発明の防護ネットは、第一ロープまたは第二ロープが、アラミド繊維ロープ、ワイヤロープ、またはＰＣ鋼より線のいずれかであってもよい。
【０００８】
本発明の防護ネットは、ガイドネットが、ラッセル網、有結節網、または無結節網のいずれかであってもよい。
【発明の効果】
【０００９】
本発明は以上の構成より、次の効果のうち少なくとも一つを備える。
＜１＞ロープユニットとガイドネットの組合せによる二段階の衝撃吸収機能によって、飛来物の衝突によるエネルギーを防護ネット全体に効率的に分散することができる。また、部材の引張抵抗だけでなく部材間の摺動抵抗も利用して衝撃を吸収することができる。このため、衝撃吸収性能が非常に高い。
＜２＞大型の飛来物をロープユニットが受け止め、ロープユニットの隙間を抜けた小型の飛来物をガイドネットが受け止める。このため、様々な大きさの飛来物を漏れなく捕捉することができる。
＜３＞ロープの交点が相互に摺動自在に保持されるため、受衝時に交点に荷重が集中せず破損しにくい。
＜４＞製造が容易で製造コストが安い。
＜５＞ロープの打ち方や加工に関わらず使用可能であり適用性が高い。
＜６＞ロープが相互に独立しているため、破損したロープのみを抜き出して交換することができる。このため、補修が容易で補修コストが非常に安い。
＜７＞受衝によって残留変形しないため繰り返し使用できる。
【図面の簡単な説明】
【００１０】
【図１】本発明に係る防護ネットの説明図。
【図２】防護ネットが受衝した状態の説明図。
【図３】防護ネットが受衝した状態の説明図。
【発明を実施するための形態】
【００１１】
以下、図面を参照しながら本発明の防護ネットについて詳細に説明する。
本例では、防護ネットの第一方向を水平方向、第二方向を垂直方向とし、両者が直交して角目のロープ網目を構成する例について説明する。
【実施例１】
【００１２】
[全体の構成]
＜１＞全体の構成（図１）。
本発明の防護ネット１は、第一ロープ１１と第二ロープ１２を交差してなるロープユニット１０と、ロープユニット１０の交点Ａを摺動自在に保持するガイドネット２０とを備え、ガイドネット２０の複数のガイド網目Ｃに、ロープユニット１０の第一ロープ１１と第二ロープ１２を縦横に連通してなる、複合構造の防護網である。
隣り合う第一ロープ１１は異なったガイド網目Ｃに挿通され、隣り合う第二ロープ１２は異なったガイド網目Ｃに挿通される。
防護ネット１は、ロープユニット１０の外端部を縁ロープやフレームなど（不図示）に固定して展張する。
本例では、第一ロープ１１を第一方向Ｘに、第二ロープ１２を第二方向Ｙに、一目ごとにガイド網目Ｃに連通する。ただし、これに限らず任意の数ガイド網目Ｃを飛ばして連通してもよい。
第一ロープ１１と第二ロープ１２の交点Ａにおいて、ガイドネット２０が第一ロープ１１と第二ロープ１２を相互に摺動自在に保持する。
ロープユニット１０とガイドネット２０の目合い及びロープピッチは、対象となる飛来物Ｚの大きさに合わせて適宜設計することができる。
【００１３】
＜２＞ロープユニット。
ロープユニット１０は、飛来物Ｚの衝突による衝撃を吸収して通過を防止する部材である。
ロープユニット１０は、第一方向Ｘに沿って並列する複数の第一ロープ１１と、第二方向Ｙに沿って並列し、複数の第一ロープ１１と交差する複数の第二ロープ１２と、を備える。
第一ロープ１１と第二ロープ１２の交点は固定されず、複数の第一ロープ１１と複数の第二ロープ１２は相互に独立する。
隣り合う２本の第一ロープ１１と隣り合う２本の第二ロープ１２の間にロープ網目Ｂが形成される。
本例では、第一ロープ１１および第二ロープ１２として、高強度アラミド繊維を樹脂被覆したロープを採用する。アラミド繊維は軽量でありながら、引張強度、弾性係数に優れ、衝撃吸収性に優れる。
このほか、アラミド繊維以外の合成繊維ロープ、ワイヤロープ、ＰＣ鋼より線等の公知のロープを採用してもよい。
ロープの打ち方は、六つ打ち、八つ打ち、十六打ちなど、各種を採用できるが、強度利用率を確保するため、三つ打ちより多くすることが望ましい。
【００１４】
＜３＞ガイドネット。
ガイドネット２０は、ロープユニット１０の交点Ａを摺動自在に保持する部材である。ガイドネット２０は、ロープユニット１０を連通するためのガイド網目Ｃを備える。
ガイドネット２０は、ガイド網目Ｃ内にロープユニット１０を縦横に連通することで、ロープユニット１０と一体に連結する。
本例では、ガイドネット２０として、菱目ラッセル編みのポリエチレン製ネットを採用する。ラッセル編みネットは軽量でありながら多軸方向への強度を備え、伸縮性と荷重分散力に優れる。
ただし、素材や編み方はこれに限らず、ナイロン製、ポリエステル製、ビニロン製等の素材や、角目ラッセル編み、角目または菱目の無結節、角目または菱目の有結節等の編み方でもよい。
【００１５】
＜３．１＞ガイドネットの機能。
ガイドネット２０は、ガイド網目Ｃ内に挿通された第一ロープ１１の第二方向Ｙへの移動、および第二ロープ１２の第一方向Ｘへの移動を規制することで、複数のガイド網目Ｃによって交点Ａを保持する（交点保持機能）（図２）。
また、ガイドネット２０は、ガイド網目Ｃで第一ロープ１１と第二ロープ１２の移動を規制することによって、ロープ網目Ｂの目開きを一定範囲内に規制する。これによって、飛来物Ｚの受衝時、ロープユニット１０の目開きを防止し、飛来物Ｚがロープ網目Ｂを貫通することを防ぐことができる（目開き防止機能）。
さらに、隣り合う第一ロープ１１および第二ロープ１２が異なったガイド網目Ｃに挿通されるため、ガイドネット２０のガイド網目Ｃがロープ網目Ｂより小さくなる。これにより、ロープ網目Ｂを通過した小さな飛来物Ｚをガイドネット２０によって捕捉し、透過を防止することができる（透過防止機能）。
【００１６】
＜４＞防護ネットによる衝撃の吸収（図２、３）。
防護ネット１の衝撃吸収機能について説明する。
防護ネット１に飛来物Ｚが衝突すると、衝突部分を中心に防護ネット１が背面側に変形し、ガイドネット２０のガイド網目Ｃ内において、第一ロープ１１が第二方向Ｙに沿って外側に移動するとともに、第二ロープ１２が第一方向Ｘに沿って外側に移動する（図２）。これによって、衝突前の交点Ａが外側の交点Ａ’へと移動し、ロープ網目Ｂが拡大する。
続いて、第一ロープ１１および第二ロープ１２が、ガイドネット２０のガイド網目Ｃを内側から外縁方向に押し開くことで、交点Ａ’が交点Ａ’’へと移動する（図３）。
本発明の防護ネット１は、以上のようにロープユニット１０とガイドネット２０の組合せによる二段階の衝撃吸収機能によって、飛来物Ｚの衝突によるエネルギーを防護ネット１全体に分散して効率的に吸収することができる。
また、本発明の防護ネット１は、ロープユニット１０とガイドネット２０の引張抵抗だけでなく、第一ロープ１１と第二ロープ１２が相互に摺動する際の摺動抵抗、および第一ロープ１１と第二ロープ１２がガイドネット２０のガイド網目Ｃに沿って摺動する際の摺動抵抗も利用して衝撃を吸収することができる。
以上のように、公知の素材を利用しながら、従来技術より高い衝撃吸収機能を奏することができる。
【実施例２】
【００１７】
実施例１では、防護ネット１のロープ網目を角目としたが、第一方向Ｘと第二方向Ｙを所定の角度で交差させて菱目のロープ網目としてもよい。
【符号の説明】
【００１８】
１    防護ネット
１０  ロープユニット
１１  第一ロープ
１２  第二ロープ
２０  ガイドネット
Ａ    交点
Ｂ    ロープ網目
Ｃ    ガイド網目
Ｘ    第一方向
Ｙ    第二方向
Ｚ    飛来物
【図１】
2019019489.tif 000003
【図２】
2019019489.tif 000004
【図３】
2019019489.tif 000005